【手続補正書】
【提出日】平成23年1月18日(2011.1.18)
【手続補正１】
【補正対象書類名】特許請求の範囲
【補正対象項目名】全文
【補正方法】変更
【補正の内容】
【特許請求の範囲】
【請求項１】
内部に燃料を収容する筐体と、前記筐体内の燃料の収容量を検知するための発光素子の光に対して反射性であり、前記筐体内の燃料の収容量に従って移動する移動体と、を備え、
前記筐体は、前記移動体が前記発光素子に対向する側に透光部を有し、前記透光部以外では前記発光素子の光を遮光し、
前記筐体は、前記筐体内の燃料を供給する供給部と、前記燃料によって引き起こされる反応の副生成物を外部から流入する流入部と、前記副生成物中の気体成分のみを外へ排気する排気部と、外部から空気を取り込む吸気部と、を有することを特徴とする燃料容器。
【請求項２】
前記筐体の一部は、前記発光素子の光に対して遮光性の金属薄板からなることを特徴とする請求項１に記載の燃料容器。
【請求項３】
前記吸気部は不純物を除去する除去部材を有し、前記排気部は気体成分のみを透過する気液分離部材を有することを特徴とする請求項１又は２に記載の燃料容器。
【請求項４】
請求項１〜３のいずれか一項に記載の燃料容器が接続され、前記燃料容器より供給される燃料を用いて発電する燃料電池を備える本体を備え、
前記本体の前記燃料容器の透光部との対向面には、前記発光素子と、前記発光素子の光を前記移動体によって反射された光を受光する受光素子と、を備える残量検知部が複数配列されていることを特徴とする発電装置。
【請求項５】
前記発電装置本体には前記燃料容器が着脱されるカートリッジ搬送体が設けられ、
前記カートリッジ搬送体は前記発電装置本体に対して回動可能に設けられ、
前記燃料容器は前記カートリッジ搬送体と反対方向に移動させることにより前記カートリッジ搬送体に対して着脱可能としたことを特徴とする請求項４に記載の発電装置。
【請求項６】
前記カートリッジ搬送体の回転中心と同軸に円筒形部材が配置されており、
前記燃料容器には前記円筒形部材の外周面と当接する円弧状の凹部が形成されていることを特徴とする請求項５に記載の発電装置。
【請求項７】
前記カートリッジ搬送体は内部に前記燃料容器が挿入されるカートリッジ保持部を備え、
前記燃料容器の前記カートリッジ保持部に挿入される部分の外側面には係合凹部が設けられ、
前記カートリッジ保持部には内側面に前記係合凹部に係合し前記燃料容器を固定する係止突起が設けられたカートリッジ固定部を備えることを特徴とする請求項５又は６に記載の発電装置。
【請求項８】
前記カートリッジ固定部は前記係止突起が前記係合凹部以外の前記燃料容器の外側面と当接しているときに前記カートリッジ保持部の外側面に突出し、
前記発電装置本体は前記カートリッジ保持部の外側面に突出した前記カートリッジ固定部と当接し前記カートリッジ搬送体の回転を妨げる回転防止部を備えることを特徴とする請求項７に記載の発電装置。
【請求項９】
前記燃料容器が前記発電装置本体から離れる方向に回転するように前記カートリッジ搬送体を付勢する付勢装置を備えることを特徴とする請求項５〜８のいずれか一項に記載の発電装置。
【請求項１０】
前記付勢装置は、前記発電装置本体に固定される筐体と、前記発電装置本体に固定される筐体に対して回転可能に設けられたギヤと、前記発電装置本体に固定される筐体に一端が固定され前記ギヤの回転軸に他端が固定された弾性体とを備え、
前記ギヤを前記カートリッジ搬送体と噛み合わせることで前記カートリッジ搬送体を付勢することを特徴とする請求項９に記載の発電装置。
【請求項１１】
前記発電装置本体に対して回転可能に設けられるとともに、
前記付勢装置に付勢された前記カートリッジ搬送体を係止する係止爪を有する固定部材をさらに備えることを特徴とする請求項９又は１０に記載の発電装置。
【請求項１２】
請求項４〜１１のいずれか一項に記載の発電装置と、前記発電装置より電力が供給される電子機器本体とを備えることを特徴とする電子機器。
【手続補正２】
【補正対象書類名】明細書
【補正対象項目名】０００７
【補正方法】変更
【補正の内容】
【０００７】
以上の課題を解決するため、請求項１に記載の発明は、燃料容器であって、
内部に燃料を収容する筐体と、前記筐体内の燃料の収容量を検知するための発光素子の光に対して反射性であり、前記筐体内の燃料の収容量に従って移動する移動体と、を備え、前記筐体は、前記移動体が前記発光素子に対向する側に透光部を有し、前記透光部以外では前記発光素子の光を遮光し、前記筐体は、前記筐体内の燃料を供給する供給部と、前記燃料によって引き起こされる反応の副生成物を外部から流入する流入部と、前記副生成物中の気体成分のみを外へ排気する排気部と、外部から空気を取り込む吸気部と、を有することを特徴とする。
請求項２に記載の発明は、請求項１に記載の燃料容器であって、前記筐体の一部は、前記発光素子の光に対して遮光性の金属薄板からなることを特徴とする。
請求項３に記載の発明は、請求項１又は２に記載の燃料容器であって、前記吸気部は不純物を除去する除去部材を有し、前記排気部は気体成分のみを透過する気液分離部材を有することを特徴とする。
請求項４に記載の発明は、発電装置であって、請求項１〜３のいずれか一項に記載の燃料容器が接続され、前記燃料容器より供給される燃料を用いて発電する燃料電池を備える本体を備え、前記本体の前記燃料容器の透光部との対向面には、前記発光素子と、前記発光素子の光を前記移動体によって反射された光を受光する受光素子と、を備える残量検知部が複数配列されていることを特徴とする。
請求項５に記載の発明は、請求項４に記載の発電装置であって、前記発電装置本体には前記燃料容器が着脱されるカートリッジ搬送体が設けられ、前記カートリッジ搬送体は前記発電装置本体に対して回動可能に設けられ、前記燃料容器は前記カートリッジ搬送体と反対方向に移動させることにより前記カートリッジ搬送体に対して着脱可能としたことを特徴とする。
請求項６に記載の発明は、請求項５に記載の発電装置であって、前記カートリッジ搬送体の回転中心と同軸に円筒形部材が配置されており、前記燃料容器には前記円筒形部材の外周面と当接する円弧状の凹部が形成されていることを特徴とする。
請求項７に記載の発明は、請求項５又は６に記載の発電装置であって、前記カートリッジ搬送体は内部に前記燃料容器が挿入されるカートリッジ保持部を備え、
前記燃料容器の前記カートリッジ保持部に挿入される部分の外側面には係合凹部が設けられ、前記カートリッジ保持部には内側面に前記係合凹部に係合し前記燃料容器を固定する係止突起が設けられたカートリッジ固定部を備えることを特徴とする。
請求項８に記載の発明は、請求項７に記載の発電装置であって、前記カートリッジ固定部は前記係止突起が前記係合凹部以外の前記燃料容器の外側面と当接しているときに前記カートリッジ保持部の外側面に突出し、前記発電装置本体は前記カートリッジ保持部の外側面に突出した前記カートリッジ固定部と当接し前記カートリッジ搬送体の回転を妨げる回転防止部を備えることを特徴とする。
請求項９に記載の発明は、請求項５〜８のいずれか一項に記載の発電装置であって、前記燃料容器が前記発電装置本体から離れる方向に回転するように前記カートリッジ搬送体を付勢する付勢装置を備えることを特徴とする。
請求項１０に記載の発明は、請求項９に記載の発電装置であって、前記付勢装置は、前記発電装置本体に固定される筐体と、前記発電装置本体に固定される筐体に対して回転可能に設けられたギヤと、前記発電装置本体に固定される筐体に一端が固定され前記ギヤの回転軸に他端が固定された弾性体とを備え、前記ギヤを前記カートリッジ搬送体と噛み合わせることで前記カートリッジ搬送体を付勢することを特徴とする。
請求項１１に記載の発明は、請求項９又は１０に記載の発電装置であって、前記発電装置本体に対して回転可能に設けられるとともに、前記付勢装置に付勢された前記カートリッジ搬送体を係止する係止爪を有する固定部材をさらに備えることを特徴とする。
請求項１２に記載の発明は、電子機器であって、請求項４〜１１のいずれか一項に記載の発電装置と、前記発電装置より電力が供給される電子機器本体とを備えることを特徴とする。